(57)【要約】      （修正有）【課題】運動式の発電機を電源とすることで、環境に優しい無電池の温度計を提供する。【解決手段】電源スイッチを具備しない温度計が、電池、電池カバー、又は、電源スイッチを具備しない本体部材と、本体部材に固定される熱接触表面を具備する先端部材１１とによって構成される。先端部材の内側に取り付けられる温度センサ５１が、熱接触表面を感知し且つ温度信号を生成する。温度信号の送信のために、一組のリード線が温度センサに結合される。管状シリンダが本体部材内に配置され、磁心が管状シリンダ内で摺動自在で、磁心が管状シリンダを通じて一端部から他端部に摺動するときに、磁心が電線コイルを通じて移動するよう、電線コイルが管状シリンダの周りに巻き付けられる。コンデンサ２６が電線コイルに電気的に接続され、プロセッサ２４がコンデンサ及び一組のリード線に電気的に接続される。【選択図】図２
0003166088.tif 000002
【実用新案登録請求の範囲】
【請求項１】
電池カバー又は電源スイッチをその上に有さない本体部材と、
該本体部材に固定される熱接触表面を備える先端部材と、
熱接触表面を感知し且つ温度信号を生成するために適合される、前記先端部材の内側に取り付けられる温度センサと、
前記温度信号の送信のために前記温度センサに結合される一組のリード線と、
ディスプレイ装置と、
前記本体部材内に配置される管状シリンダと、
該管状シリンダ内で摺動自在な磁心と、
前記磁心が前記管状シリンダを通じて一端部から他端部に摺動するときに、前記磁心が電線コイルを通じて移動するよう、前記管状シリンダの周りに巻回される電線コイルと、
前記電線コイルに電気的に接続されるコンデンサと、
電力を得るために前記コンデンサに電気的に接続され、且つ、前記温度信号を受信し且つ対応する温度読取りの表示のために前記ディスプレイ装置を駆動するよう前記一組のリード線に電気的に接続されるプロセッサとを含む、
無電池で運動式に動力供給される温度計。
【請求項２】
基板を更に含み、前記ディスプレイ装置、前記プロセッサ、及び、前記コンデンサは、前記基板の上に配置される、請求項１に記載の温度計。
【請求項３】
前記プロセッサは、集積回路チップを含む、請求項２に記載の温度計。
【請求項４】
前記コンデンサは、チップコンデンサを含む、請求項３に記載の温度計。
【請求項５】
前記管状シリンダの一端部又は両端部に取り付けられる螺旋バネを更に含む、請求項１に記載の温度計。
【請求項６】
前記コンデンサは、当該温度計を前後に移動することによって電気エネルギを蓄積し、前記プロセッサは、コンデンサ電圧が所定開始電圧以上である間に、前記コンデンサ電圧の変化を検出するよう作動される、請求項１に記載の温度計。
【請求項７】
前記プロセッサは、当該温度計が充電作業を行っていることを示す開始信号を表示するよう、前記ディスプレイ装置を駆動するよう作動される、請求項６に記載の温度計。
【請求項８】
前記コンデンサ電圧が前記体温測定作業の少なくとも或る周期を行うのに十分な作業電圧まで更に増大される間に、前記プロセッサは、体温測定作業を開始し、且つ、当該温度計が体温測定作業を行っていることを示す作業信号を表示するよう前記ディスプレイを駆動する、請求項７に記載の温度計。
【請求項９】
電池カバー又は電源スイッチをその上に有さない本体部材と、
該本体部材に固定される熱接触表面を備える先端部材と、
熱接触表面を感知し且つ温度信号を生成するために適合される、前記先端部材の内側に取り付けられる温度センサと、
前記温度信号の送信のために前記温度センサに結合される一組のリード線と、
ディスプレイ装置と、
運動式電力発電機と、
電力を得るために前記運動式電力発電機に電気的に接続され、且つ、前記温度信号を受信し且つ対応する温度読取りの表示のために前記ディスプレイ装置を駆動するよう前記一組のリード線に電気的に接続されるプロセッサとを含む、
無電池で運動式に動力供給される温度計。
【考案の詳細な説明】
【技術分野】
【０００１】
本考案は、温度計の分野に関し、より具体的には、運動式に動力供給される温度計の分野に関する。
【背景技術】
【０００２】
電子式温度計は、一般的に、保険医療分野における使用のために、従来的なガラス及び水銀式温度計に対して数多くの利点をもたらす。とりわけ、電子式温度計の利点は、使い捨てカバーの使用によって可能にされるガラス温度計のための殺菌プロセスの排除、温度計が落下する場合にガラスが割れる可能性の排除、温度読取りの間違いを排除するデジタル式温度ディスプレイであり、適切な回路設計及び較正を用いるならば、より高い精度及び解像度が可能であり、華氏１度の１０分の１の正確な測定及び表示を容易に得ることができる。
【考案の概要】
【考案が解決しようとする課題】
【０００３】
そのような電子温度計は、典型的には、電源として化学電池を使用する。しかしながら、電子式温度計は、一般的には、長い間に亘って使われない。何故ならば、患者は病気又は気分が悪いときに電子式温度計を使用するに過ぎないからである。よって、電源として化学電池を利用するそのような電子式温度計は、環境に優しくない。
【課題を解決するための手段】
【０００４】
本考案の例示的な実施態様は、電池カバー又は電源スイッチがその上に無い本体部材と、本体部材に固定される熱接触表面を備える先端部材とによって構成される無電池温度計を提供することによって、上述の問題点を克服する。熱接触表面を感知し且つ温度信号を発生するために、先端部材の内側に取り付けられる温度センサが適合される。温度信号の送信のために、一組のリード線が温度センサに結合される。管状シリンダが本体部材内に配置され、磁心が管状シリンダ内で摺動自在である。磁心が一端部から他端部まで管状シリンダを通じて摺動するときに、磁心が電線コイルを通じて移動するよう、電線コイルが管状シリンダの周りに巻き付けられる。コンデンサが電線コイルに電気的に接続され、運動式の電力発電機として作用する。プロセッサが運動式の電力発電機及び一組のリード線に電気的に接続される。
【０００５】
本考案の他の例示的な実施態様は、電池カバー又は電源スイッチをその上に有さない本体部材と、本体部材に固定される熱接触表面を備える先端部材とによって構成される無電池温度計を提供することによって、上述の問題点を克服する。熱接触表面を感知し且つ温度信号を生成するために、先端部材の内側に取り付けられる温度センサが適合される。温度信号の送信のために、一組のリード線が温度センサに結合される。そして、プロセッサが、電力を得るために運動式の電力発電機に電気的に接続され、温度信号を受信し且つ対応する温度読取りを表示するようディスプレイ装置を駆動するために一組のリード線に電気的に接続される。
【０００６】
付属の図面に例証される非限定的で例示的な実施態様によって本考案を記載する。図面中、同等の参照番号は、類似の素子を指し示している。
【図面の簡単な説明】
【０００７】
【図１】本考案の例示的な実施態様に従った電源スイッチを具備しない温度計を示す概略図である。
【図２】本考案の例示的な実施態様に従った運動式に動力供給される温度計を示す分解斜視図である。
【図３】本考案の例示的な実施態様に従った運動式の電力発電機を示す概略図である。
【考案を実施するための形態】
【０００８】
図１及び２を参照すると、温度計（体温計）の実施態様が例証されている。温度計は、本体部材１０と、先端部材１１とから成る。典型的には、温度計の構成部品が組み立てられた後、カバー６０が本体部材１０に固定される。先端部材１１は、本体部材１０のプローブ部分１２に固定される。好ましくは、先端部材は中空キャビティを取り囲む熱接触表面を含む。１つの実施態様において、中空先端部材１１は、好ましくは、ステンレス鋼のような良好な熱伝導率を具備する金属から成る。
【０００９】
温度センサ５１が、先端部材１１の端部に配置され、熱接触表面の内側に取り付けられる。温度センサは、熱接触表面の温度を感知し、温度信号を生成する。温度信号の送信のために温度センサ５１に結合される一組のリード線５２，５４がある。
【００１０】
図２に示されるように、ディスプレイ装置２０がディスプレイ部分１５内に配置され、対応する温度読取りの表示のために温度信号を受信するようリード線５２，５４に接続される。典型的には、ディスプレイ装置２０を支持するために、底板（ベースプレート）３０を適合し得る。１つの実施例において、ディスプレイ装置２０は、基板２２と、基板上に配置されるＬＣＤパネルのようなディスプレイ２３と、ディスプレイ２３に結合される、基板上に配置される集積回路チップのようなプロセッサ２４とを含み得る。プロセッサ２４は、温度信号を受信するために、リード線５２，５４に電気的に接続される。プロセッサは、ディスプレイ２３を駆動して、対応する温度読取りを示す。好ましくは、底板３０は、ディスプレイ２３を露出する開口３３を有する。典型的には、底板３０は、プラスチックであり、基板２２は、ＰＣＢ板である。
【００１１】
１つの実施例において、先端部材１１は、管状形状の形態において作製され、ドーム状、半球形、又は、半楕円体形状の端部で閉塞される。患者の肉体から先端部材１１に熱を移転し得るよう、接触表面は患者の肉体と接触させられる。１つの実施態様において、温度センサ５１は、サーミスタである。リード線５２，５４及びサーミスタ５１の双方は、熱伝導性接着剤を用いて熱接触表面の内側に接着される。接着剤は、良好な熱伝導率を具備する絶縁材料、例えば、エポキシ樹脂である。その上、リード線５２，５４は、一対の電線から成る。それらは、表示すべき対応する温度を決定するために、温度センサ５１をプロセッサ２４に接続するために使用される。
【００１２】
その頂面から延びる透明層４０は、ディスプレイ孔１３の下でディスプレイ装置２０を少なくとも覆う。好ましくは、透明層４０は、底板３０の頂面全体を覆う。そして、一般的には、ディスプレイ２３は、透明層４０の下で基板２２の上に配置される。透明層４０は、透明なプラスチックシートであり得る。好ましくは、透明層は、有機ガラス又はポリメタクリル酸メチル（ＰＭＭＡ）から成る。
【００１３】
図３を参照すると、運動（モーション）式の電力発電機８０が、１つの実施例では、ディスプレイ装置２０に隣接して、本体部材１０内に配置される。運動式の電力発電機８０は、本体部材内に配置される管状シリンダ８２と、管状シリンダ８２内で摺動自在な磁心８４とを含む。磁心が管状シリンダを通じて一端部から他端部に摺動するときに、磁心８４が電線コイルを通じて移動するよう、電線コイル８６が管状シリンダ８２の周りに巻き付けられる。図２に示されるように、チップコンデンサのようなコンデンサ２６が、送電線７０を通じて電線コイル８６に電気的に接続される。磁心８４が管状シリンダ８２を通じて移動すると、磁心は電線コイル８６を通じて流れる磁束を変え、コンデンサ電圧を増大する。
【００１４】
更に、プロセッサ２４は、電力を得るために、コンデンサ２６に電気的に接続され、温度信号を受信して対応する温度読取りを表示するようディスプレイ装置を駆動するために、一組のリード線５２，５４に電気的に接続される。１つの実施例において、コンデンサ２６は、温度計を前後に連続的に移動することによって電気エネルギを蓄積する。コンデンサ電圧が所定の開始電圧以上である間、プロセッサ２４は、温度計が充電作用を行っていることを示す開始信号を表示するためにディスプレイを駆動するよう、或いは、温度計が充電作用を行っていることを使用者に知らせる音声を発生するために開始信号をスピーカ（図示せず）に送信するように作動される。そして、次に、プロセッサ２４は、コンデンサ電圧の変化を検出する。短い運動時間の間、コンデンサ電圧が少なくとも１回又は２回の周期の体温測定作業を行うのに十分な所定作業電圧に更に増大される間、プロセッサ２４は、その体温測定作業を開始し、温度計が体温測定作業を行っていることを示す作業信号を表示するためにディスプレイ２３を駆動し、或いは、温度計が体温測定作業を行っていることを使用者に知らせる音声を発生するために作業信号をスピーカ（図示せず）に送信する。
【００１５】
そのような温度計では、電源を維持するために一時的な電池のようにコンデンサを使用し得るよう、コンデンサはプロセッサがオンディマンドで使用するエネルギを蓄積する。よって、環境汚染を容易に引き起こす化学電池を使用する必要はない。
【００１６】
さらに、磁心８４の移動を増大するよう、螺旋ネジ８８を管状シリンダ８２の一端部又は両端部に取り付け得る。
【００１７】
１つの実施態様では、温度計の本体部分の表面に電池カバー及び／又は電源スイッチを作り出す必要はない。何故ならば、温度計は電池が無く、よって、そのような構造は図１に示されるような水密封止機能を強化し得るからである。
【００１８】
好適実施態様に関して一例によって本考案を記載したが、本考案は開示の実施態様に限定されないことが理解されるべきである。逆に、（当業者に明らかであるような）様々な変形及び類似の構成をカバーすることが意図されている。従って、付属の請求項の範囲は、全てのそのような変形及び類似構成を含むような最広義の解釈が認められるべきである。
【符号の説明】
【００１９】
１０  本体部材  （ｂｏｄｙ  ｍｅｍｂｅｒ）
１１  先端部材  （ｔｉｐ  ｍｅｍｂｅｒ）
１２  プローブ部分  （ｐｒｏｂｅ  ｐｏｒｔｉｏｎ）
１５  ディスプレイ部分  （ｄｉｓｐｌａｙ  ｐｏｒｔｉｏｎ）
２０  ディスプレイ装置  （ｄｉｓｐｌａｙ  ｕｎｉｔ）
２２  基板  （ｓｕｂｓｔｒａｔｅ）
２３  ディスプレイ  （ｄｉｓｐｌａｙ）
２４  プロセッサ  （ｐｒｏｃｅｓｓｏｒ）
２６  コンデンサ  （ｃａｐａｃｉｔｏｒ）
３０  底板  （ｂａｓｅ  ｐｌａｔｅ）
３３  開口  （ｏｐｅｎｉｎｇ）
４０  透明層  （ｔｒａｎｓｐａｒｅｎｔ  ｌａｙｅｒ）
５１  温度センサ  （ｔｈｅｒｍａｌ  ｓｅｎｓｏｒ）
５２  リード線  （ｌｅａｄ  ｗｉｒｅ）
５４  リード線  （ｌｅａｄ  ｗｉｒｅ）
６０  カバー  （ｃｏｖｅｒ）
７０  送電線  （ｅｌｅｃｔｒｉｃｉｔｙ  ｔｒａｎｓｍｉｓｓｉｏｎ  ｗｉｒｅｓ）
８２  管状シリンダ  （ｔｕｂｕｌａｒ  ｃｙｌｉｎｄｅｒ）
８４  磁心  （ｍａｇｎｅｔｉｃ  ｃｏｒｅ）
８６  電線コイル  （ｃｏｉｌ  ｏｆ  ｗｉｒｅ）
【図１】
0003166088.tif 000003
【図２】
0003166088.tif 000004
【図３】
0003166088.tif 000005